(57)【特許請求の範囲】
【請求項１】
前面を開口した略箱状ボデーと、前記ボデーの内部に設けたヒータと、前記ヒータの背面に設けた正面反射板と、前記正面反射板の左右に正面反射板を支える複数個の凸部を設けた側面反射板とを備え、前記正面反射板の端部と前記側面反射板の側面に隙間を設けて配設た電気ストーブ。
【請求項２】
側面反射板の複数個の凸部は正面反射板側への切り起こしとした請求項１に記載の電気ストーブ。
【発明の詳細な説明】
【０００１】
【発明の属する技術分野】
本発明は電気ストーブの本体の構成に関する。
【０００２】
【従来の技術】
従来のこの種の電気ストーブは、図５に示すように、ヒータ１の背面側に正面反射板２を配設し、正面反射板２の端部に設けられた複数個の爪部３を左右の側面反射板４の孔部５に挿入し、正面反射板２の爪部３を折り曲げて固定するように構成されていた。また図６に示すように、左右の側面反射板４は、断面略コ字形状を有するボデー６に前面側よりねじ７により固定し、側方から左右の側板８をはめ込み、下方からねじ９で固定するように構成されていた。
【０００３】
【発明が解決しようとする課題】
しかしながら、従来の電気ストーブでは、正面反射板２が汚れたり、変形して交換するときに、正面反射板２と側面反射板４が正面反射板２の爪部３を折り曲げて固定しているため、正面反射板２を交換するときに古い正面反射板２の爪部３を全て水平に折り返し、左右の側面反射板４の孔部５から抜き取り、新しい正面反射板２の爪部３を左右の側面反射板４の孔部５に再び挿入し、折り曲げなければならないため、交換に時間がかかるという課題を有していた。
【０００４】
また、正面反射板２はヒータ１の背面側に配設されているため高温となっており、正面反射板２の端部と左右の側面反射板４の側面が接触しているので側面反射板４が高温になるという課題を有していた。
【０００５】
また、側面反射板４は、前面側からボデー６にねじ７で固定されているため、前面からねじが見え外観的に見苦しく、側面反射板４をボデー６にねじ７で締め付ける際ドライバーの先端がねじ７にうまく嵌合せず、例えば側面反射板４の表面を傷つけるという課題を有していた。
【０００６】
また、左右の側板８と高温になる左右の側面反射板４が接触しているため、側板８が高温になり耐熱性の高い材料を使わなければならないという課題を有していた。
【０００７】
【課題を解決するための手段】
本発明は、上記課題を解決するために、正面反射板の背面を側面反射板の複数個の凸部で支えるものである。
【０００８】
上記発明によれば、古い正面反射板を前方向に抜き取るだけで取り外しができ、新しい正面反射板を左右の側面反射板の適数個の凸部に載せるだけで取り付けできるため、短時間で交換することができる。
【０００９】
【発明の実施の形態】
本発明は、前面を開口した略箱状ボデーと、前記ボデーの内部に設けたヒータと、前記ヒータの背面に設けた正面反射板と、前記正面反射板の左右に正面反射板を支える複数個の凸部を設けた側面反射板とを備えたものである。
【００１０】
そして、古い正面反射板を前方向に抜き取り、新しい正面反射板を左右の側面反射板の複数個の凸部に載せるだけで取り付けできるため、短時間で交換することができる。
【００１１】
さらに、側面反射板の複数個の凸部は正面反射板側へ切り起こしとしたものである。
【００１２】
さらに、正面反射板の端部と側面反射板の側面に隙間を設けて配設するものである。
【００１３】
そして、高温になる正面反射板と左右の側面反射板に隙間を設けているので、正面反射板から左右の側面反射板への熱伝導が低減され、左右の側面反射板の温度を低下させることができる。
【００１４】
また、前面を開口した複数個の凹部を内側に備えた前ボデーと、前記凹部に対向する位置に凸部を設けた複数個の突出部を備えた後ボデーと、前記後ボデーの複数個の突出部に対向する位置に孔部を設けた側面反射板とを備え、前記後ボデーの前記突出部に前記側面反射板の孔部を挿入するとともに、前記前ボデーの凹部で前記側面反射板を挟み込んで固定するものである。
【００１５】
そして、側面反射板の孔部を後ボデーの凸部を設けた突出部に挿入し、前ボデーの凹部で挟み込んで固定しているため、前面にねじを使わずに固定できるものである。
【００１６】
さらに、側面反射板の上面と、前ボデーの凹部の端部は隙間を設けて配設するものである。
【００１７】
そして、高温になる正面反射板および左右側面反射板と前ボデーに隙間が開いているので、正面反射板および左右の側面反射板から前ボデーへの熱伝導が低減されるため、前ボデーの温度を低下させることができ、耐熱性の高い材料を使わず構成することができる。
【００１８】
以下、本発明の実施例について図面を用いて説明する。
（実施例１）
図１は本発明の実施例１の電気ストーブの分解斜視図である。また図２は同電気ストーブの断面図である。
【００１９】
図において、前面を開口した前ボデー１１の後方にヒータ１２が設けられ、そのヒータ１２の背面には略放物形状断面をした正面反射板１３が設けられている。その正面反射板１３の背面を、左右に配設された側面反射板１４の正面反射板１３側に突出した複数個の凸部１４ａで支えている。そして、側面反射板１４の前方に配設されたヒータ取付金具１５の孔部１５ａと側面反射板１４の孔部１４ｂを後方に配設された後ボデー１６の上部および下部に設けた突出部の凸部１６ａに差し込み、前ボデー１１の上部および下部に設けられた凹部１１ａで挟み込んで固定している。また、側面反射板１４の底部は、後ボデー１６に設けられた溝部１６ｂにはめ込まれている。そして、前ボデー１１および後ボデー１６の上方に上ボデー１７が前ボデー１１と後ボデー１６で挟み込んで固定されている。ヒータ１２には電源コード１８、容量を切り換えるための切り替えスイッチ１９および本体が転倒したとき通電を停止するための転倒スイッチ２０が接続されている。なお、側面反射板１４の正面反射板１３側に突出した複数個の凸部１４ａは、正面反射板１３側に突出した切り起こしでもよい。
【００２０】
次に作用について説明する。正面反射板１３を側面反射板１４の正面反射板１３側に突出した複数個の凸部１４ａで支え、前ボデー１１の凹部１１ａと後ボデー１６の凸部１６ａで挟み込んで固定しているため、正面反射板１３が汚れたり、変形して交換するとき、前ボデー１１と後ボデー１６を取り外し、古い正面反射板１３を前方向に抜き取るだけで取り外しができ、新しい正面反射板１３を左右の側面反射板１４の適数個の凸部１４ａに載せるだけで取り付けできるため、短時間で交換することができる。
【００２１】
また、側面反射板１４の孔部１４ｂを後ボデー１６の適数個の突出部の凸部１６ａに挿入し、前ボデー１１の適数個の凹部１１ａで挟み込んで固定しているため、前面にねじを使わずに固定できる。
【００２２】
（実施例２）
図３は本発明の実施例２の電気ストーブの要部分解斜視図である。なお、実施例１と同符号のものは同一構造を有し、説明は省略する。
【００２３】
実施例１と異なる点は、高温になる正面反射板１３の端部と左右の側面反射板１４の側面に隙間２１をあけたところである。
【００２４】
次に作用について説明する。高温になる正面反射板１３と左右の側面反射板１４に隙間２１を設けているので、正面反射板１３から左右の側面反射板１４への熱伝導が低減され、左右の側面反射板１４の温度を低下させることができる。
【００２５】
（実施例３）
図４（ａ）、（ｂ）は本発明の実施例３の電気ストーブの要部斜視図である。なお、実施例１と同符号のものは同一構造を有し、説明は省略する。
【００２６】
実施例１と異なる点は、高温になる左右のヒータ取付金具１５の正面、および正面反射板１３の正面と前ボデー１１の端部１１ｂに隙間２２をあけたものである。
【００２７】
次に作用について説明する。高温になる正面反射板１３および左右のヒータ取付金具１５と前ボデー１１との間に隙間２２を設けているので、正面反射板１３および左右のヒータ取付金具１５から前ボデー１１への熱伝導が低減されるため、前ボデー１１の温度を低下させることができ、耐熱性の高い材料を使わずに構成することができる。
【００２８】
【発明の効果】
以上の実施例から明かなように、本発明の電気ストーブによれば次の効果が得られる。
【００２９】
（１）古い正面反射板を前方向に抜き取るだけで取り外しができ、新しい正面反射板を左右の側面反射板の複数個の凸部に載せるだけで取り付けできるため、短時間で交換することができる。
【００３０】
（２）左右の側面反射板の温度を低下させることができる。
（３）前面にねじを使わずに固定でき、外観的に見苦しくなく、ドライバーで側面反射板の表面を傷つけることがない。
【００３１】
（４）正面反射板および左右の側面反射板から前ボデーへの熱伝導が低減されるため、前ボデーの温度を低下させることができ、耐熱性の高い材料を使わずに構成することができる。
【図面の簡単な説明】
【図１】本発明の実施例１の電気ストーブの分解斜視図
【図２】同電気ストーブの断面図
【図３】本発明の実施例２の要部分解斜視図
【図４】（ａ）本発明の実施例３の要部斜視図
（ｂ）同要部断面図
【図５】従来の電気ストーブの要部分解斜視図
【図６】従来の電気ストーブの外観図
【符号の説明】
１  ヒータ
１１  前ボデー
１３  正面反射板
１４  側面反射板
１４ａ  側面反射板の凸部
１５  ヒータ取付金具
１６  後ボデー
【図１】
0003687214.tif 000002
【図２】
0003687214.tif 000003
【図３】
0003687214.tif 000004
【図４】
0003687214.tif 000005
【図５】
0003687214.tif 000006
【図６】
0003687214.tif 000007